(57)【要約】【課題】使用態様に応じてフレキシブルに対応することができるコーナー接合構造を提供する。【解決手段】コーナー接合構造１０は、設置面に設置されるベース部材２０と、ベース部材２０から立設される二つの柱部材５０と、を備える。ベース部材２０は、一方の柱部材５０が取り付けられる固定取付部３０と、他方の柱部材５０が取り付けられる可動取付部４０と、を有する。柱部材５０は、四角筒状に形成され、柱部材５０の外周面にパネル部材１２０が取り付け可能とされ、可動取付部４０は、一方の柱部材５０に対して他方の柱部材５０の取り付け位置を移動可能に形成される。一方の柱部材５０の外周面と、他方の柱部材５０の外周面と、で挟まれてパネル部材１２０が取り付けられる挟持取付態様と、挟持取付態様以外の態様で柱部材５０の外周面のみでパネル部材１２０が取り付けられる外周面取付態様と、を取り得る。【選択図】図１
2020090779.tif 000002
【特許請求の範囲】
【請求項１】
設置面に設置されるベース部材と、前記ベース部材から立設される二つの柱部材と、を備え、
前記ベース部材は、一方の前記柱部材が取り付けられる固定取付部と、他方の前記柱部材が取り付けられる可動取付部と、を有し、
前記柱部材は、四角筒状に形成され、前記柱部材の外周面にパネル部材が取り付け可能とされ、
前記可動取付部は、一方の前記柱部材に対して他方の前記柱部材の取り付け位置を移動可能に形成され、
一方の前記柱部材の外周面と、他方の前記柱部材の外周面と、で挟まれて前記パネル部材が取り付けられる挟持取付態様と、
前記挟持取付態様以外の態様で前記柱部材の外周面のみで前記パネル部材が取り付けられる外周面取付態様と、
を取り得ることを特徴とするコーナー接合構造。
【請求項２】
前記柱部材は、Ｌ字金具を介して前記ベース部材に取り付けられ、
前記Ｌ字部材は、前記柱部材に取り付けられる上取付部と、前記ベース部材に取り付けられる下取付部と、を有し、
前記ベース部材の前記可動取付部は、上面から下面まで貫通して前記上取付部が挿通されるとともに前記上取付部を移動可能とする可動長孔と、前記可動長孔と連設するとともに、下面から上面に向かう有底溝として形成され前記下取付部が摺動可能なガイド溝と、を有していることを特徴とする請求項１記載のコーナー接合構造。
【請求項３】
一方の前記柱部材と他方の前記柱部材の上端部間に架け渡されるトップ部材を備え、
前記トップ部材は、固定係止部と、前記固定係止部に対して移動可能な可動係止部と、を有していることを特徴とする請求項１又は２記載のコーナー接合構造。
【請求項４】
前記柱部材は、異なる前記コーナー接合構造どうしの前記柱部材の間の長さを調整する間隔調整部材のスライダが摺動可能なスライダガイド部を有し、前記スライダガイド部が配設される面以外の外周面において、前記パネル部材が取り付けられることを特徴とする請求項１、２又は３記載のコーナー接合構造。
【発明の詳細な説明】
【技術分野】
【０００１】
本発明は、組み立て式のパーティション、ブース等に使用可能なコーナー接合構造に関するものである。
【背景技術】
【０００２】
従来のコーナー接合構造（ＡＴＭブースの柱構造）として、特許文献１に記載されるものがあった。これによれば、柱を断面井桁状（井の字状）に形成し、四角筒状の柱本体から突出したリブに、ねじ穴と溝を設け、柱の最大四方向にパネルを取り付け可能とするとともに、パネルが必要ない方向には化粧カバーを取り付け可能とされていた。
【先行技術文献】
【特許文献】
【０００３】
【特許文献１】特開２００１−１３２１４５号公報
【発明の概要】
【発明が解決しようとする課題】
【０００４】
しかし、上記のコーナー接合構造では、パネルが必要ない方向には化粧カバーを取り付けるので、柱の二方向、三方向のみに取り付ける場合には、リブを隠すために形状の異なる化粧カバーを用意しなければならず、使用態様に応じてフレキシブルに対応することが困難であった。
【０００５】
本発明は、上記事情に鑑み、使用態様に応じてフレキシブルに対応することができるコーナー接合構造を提供するものである。
【課題を解決するための手段】
【０００６】
請求項１記載の発明では、設置面に設置されるベース部材と、前記ベース部材から立設される二つの柱部材と、を備え、
前記ベース部材は、一方の前記柱部材が取り付けられる固定取付部と、他方の前記柱部材が取り付けられる可動取付部と、を有し、
前記柱部材は、四角筒状に形成され、前記柱部材の外周面にパネル部材が取り付け可能とされ、
前記可動取付部は、一方の前記柱部材に対して他方の前記柱部材の取り付け位置を移動可能に形成され、
一方の前記柱部材の外周面と、他方の前記柱部材の外周面と、で挟まれて前記パネル部材が取り付けられる挟持取付態様と、
前記挟持取付態様以外の態様で前記柱部材の外周面のみで前記パネル部材が取り付けられる外周面取付態様と、
を取り得る。
【０００７】
これによれば、挟持取付態様を取り得る構成とすることで、従来から行われている柱部材の外周面のみでパネル部材を取り付けて、例えば、展示ブースの外面側のみを装飾する外周面取付態様に加えて、内面側のみを装飾する、内外面側ともに装飾する、といった取付態様を取ることが可能となるので、使用態様に応じてフレキシブルに対応することができる。
【０００８】
また、前記柱部材は、Ｌ字金具を介して前記ベース部材に取り付けられ、
前記Ｌ字部材は、前記柱部材に取り付けられる上取付部と、前記ベース部材に取り付けられる下取付部と、を有し、
前記ベース部材の前記可動取付部は、上面から下面まで貫通して前記上取付部が挿通されるとともに前記上取付部を移動可能とする可動長孔と、前記可動長孔と連設するとともに、下面から上面に向かう有底溝として形成され前記下取付部が摺動可能なガイド溝と、を有している。
【０００９】
これによれば、ベース部材の可動取付部により、Ｌ字金具の位置を移動させることで、柱部材の位置を移動させることが可能となるので、挟持取付態様を容易に取ることができる。
【００１０】
また、一方の前記柱部材と他方の前記柱部材の上端部間に架け渡されるトップ部材を備え、
前記トップ部材は、固定係止部と、前記固定係止部に対して移動可能な可動係止部と、を有している。
【００１１】
これによれば、トップ部材により、一方の柱部材と他方の柱部材の上端部の移動を規制することで接合状態を安定させることができる。さらに、可動係止部により、他方の柱部材のベース部材における取り付け位置の移動に対応することが可能となるので、組立作業を容易にすることができる。
【００１２】
また、前記柱部材は、異なる前記コーナー接合構造どうしの前記柱部材の間の長さを調整する間隔調整部材のスライダが摺動可能なスライダガイド部を有し、前記スライダガイド部が配設される面以外の外周面において、前記パネル部材が取り付けられる。
【００１３】
これによれば、間隔調整部材を用いてコーナー接合構造を構成する場合に好適なものとすることができる。
【図面の簡単な説明】
【００１４】
【図１】本発明における一実施形態のコーナー接合構造の可動取付部の（ａ）外周面取付態様のときの取り付け状態を示す断面図、（ｂ）は挟持取付態様のときの取り付け状態を示す断面図である。
【図２】同実施形態の固定取付部の取り付け状態を示す断面図である。
【図３】同実施形態の一方のベース部材の底面側からの斜視図である。
【図４】同実施形態の一方のベース部材の底面図である。
【図５】同実施形態の他方のベース部材の底面側からの斜視図である。
【図６】同実施形態の他方のベース部材の底面図である。
【図７】柱部材の正面図である。
【図８】柱部材の組み付けられた状態における平面図である。
【図９】Ｌ字金具の斜視図である。
【図１０】固定金具の斜視図である。
【図１１】トップ部材の固定係止部、可動係止部それぞれの（ａ）は側面図、（ｂ）は底面図、（ｃ）は（ｂ）のＸＩｂ−ＸＩｂ線矢視断面図である。
【図１２】一方のトップ部材の固定係止部と可動係止部が組み合された状態の（ａ）は底面図、（ｂ）は平面図である。
【図１３】他方のトップ部材の固定係止部と可動係止部が組み合された状態の（ａ）は底面図、（ｂ）は平面図である。
【図１４】外周面取付態様のときのトップ部材の取り付け状態の説明図である。
【図１５】挟持取付態様のときのトップ部材の取り付け状態の説明図である。
【図１６】柱部材と間隔調整部材を示し、（ａ）は柱部材の間隔を狭くしたときの正面図、（ｂ）は（ａ）ＸＶＩｂ矢視図、（ｃ）は柱部材の間隔を広くしたときの正面図である。
【図１７】図１６（ａ）のＸＶＩＩ矢視図である。
【図１８】スライダの斜視図である。
【図１９】柱部材とスライダの説明図である。
【図２０】長尺ベース部材の斜視図である。
【図２１】長尺ベース部材と柱部材の取り付け状態を示す断面図である。
【図２２】使用態様の説明図で（ａ）は平面図、（ｂ）は斜視図である。
【図２３】他の使用態様の説明図で（ａ）は平面図、（ｂ）は斜視図である。
【図２４】さらに他の使用態様の説明図（ａ）は平面図、（ｂ）は斜視図である。
【発明を実施するための形態】
【００１５】
本発明におけるコーナー接合構造の一実施形態を図面に基づいて説明する。
【００１６】
本実施形態では、図２２〜２４に例示される、展示用ブースのコーナー接合構造として適用する場合について説明する。
【００１７】
コーナー接合構造１０は、図１〜１５等に示すように、設置面に設置されるベース部材２０と、ベース部材２０から立設される二つの柱部材５０と、Ｌ字金具６０と、固定金具７０と、トップ部材９０と、を備えている。
【００１８】
ベース部材２０は、図３〜６に示すように、下側に配される合成樹脂製のプレートの上側にスチール製のプレートを重ね合わせて、ねじ止めして一体化されて形成され、設置面に設置可能とされている。
【００１９】
ベース部材２０（区別するときには、ベース部材２０Ａ、ベース部材２０Ｂとする）は、一方の柱部材５０が取り付けられる固定取付部３０と、一方の柱部材５０に対して他方の柱部材５０の取り付け位置を移動可能に取り付け可能な可動取付部４０と、を有して、略Ｌ字状、逆Ｌ字状に形成されている。ベース部材２０Ａと、ベース部材２０Ｂとは、線対称となるように形成されている。
【００２０】
固定取付部３０は、上面から下面まで貫通する長尺な矩形状の貫通孔として形成された挿通孔３１と、挿通孔３１と連設し下面から上面に向かう有底溝３２と、を有している。
【００２１】
挿通孔３１は、後述するＬ字金具６０の上取付部６５を挿通可能とされている。有底溝３２は、Ｌ字金具６０の下取付部６１の位置決めを可能な形状とされている。
【００２２】
固定取付部３０は、有底溝３２の上面から固定取付部３０の上面まで貫通する貫通孔として形成された略円形状の通し孔３３を有している。
【００２３】
可動取付部４０は、上面から下面までに貫通する矩形状の可動長孔４１と、可動長孔４１と連設するとともに、下面から上面に向かう有底溝として形成されたガイド溝４２と、を有している。
【００２４】
可動長孔４１は、後述するＬ字金具６０の上取付部６５を挿通可能とされている。ガイド溝４２は、長手方向の長さが有底溝３２より長く形成され、Ｌ字金具６０の下取付部６１が摺動可能な形状とされている。
【００２５】
本実施形態では、ベース部材２０は、一方の柱部材５０に対して、他方の柱部材５０が９０度回転した状態で取り付け可能とされている。
【００２６】
可動取付部４０は、ガイド溝４２の上面から可動取付部４０の上面まで貫通する貫通孔として形成された長円形状の通し長孔４３を有している。
【００２７】
柱部材５０（区別するときには、柱部材５０Ａ、柱部材５０Ｂとする）は、図７、８等に示すように、アルミニウム製で、リップ５６を有した略Ｃ型鋼形状に形成されている。換言すれば、開口部分を有した四角筒状に形成されている。
【００２８】
柱部材５０は、内部を区画する区画壁５１を有している。柱部材５０の区画壁５１の外面側には、開口する方向(外側)に向かって突出する長尺平板状の一対のリブ５３が配設されている。一対のリブ５３は、区画壁５１とともに固定金具７０の移動をガイド可能とするものである。
【００２９】
また、柱部材５０のリップ５６を有する外周壁と、区画壁５１と、一対のリブ５３と、で囲まれる領域で、後述する間隔調整部材１１０のスライダ１１４をガイドするスライダガイド部５２が構成される。
【００３０】
一方、区画壁５１の内面側には、断面略Ｌ字状、略逆Ｌ字状に形成された一対のガイドリブで構成されるＬ字金具ガイド部５４が突設されている。Ｌ字金具ガイド部５４は、区画壁５１とともに後述するＬ字金具６０の上取付部６５をガイドするものである。
【００３１】
柱部材５０は、リップ５６を有して開口する側と反対側の面に沿うとともに外側に延びるようにパネル用リブ５５が突設されている。パネル用リブ５５は、後述するパネル部材１２０の取り付け時に、パネル部材１２０の側端面と接して移動を規制するとともに、パネル部材１２０の取付面として機能するものである。
【００３２】
区画壁５１の上端部及び下端部には、内面から外面まで貫通する孔５７が上下方向に沿って二つずつ形成されている。
【００３３】
Ｌ字金具６０は、スチール製で、図１、２、９に示すように、長尺平板状の部材を屈曲させた略Ｌ字状に形成され、下取付部６１と、下取付部６１より長く形成された上取付部６５と、を有している。
【００３４】
下取付部６１は、厚さ方向において貫通する二つの貫通孔を有し、貫通孔の内周面に雌ねじが形成された下ねじ部６２をそれぞれ有している。
【００３５】
下取付部６１は、組み付けられた状態において、有底溝３２、ガイド溝４２内に配置可能とされている。
【００３６】
上取付部６５は、厚さ方向において貫通する二つの貫通孔を有し、貫通孔の内周面に雌ねじが形成された上ねじ部６６をそれぞれ有している。
【００３７】
上取付部６５は、組み付けられた状態において、柱部材５０のＬ字金具ガイド部５４内に配置可能とされている。
【００３８】
下ねじ部６２は、後述する下ねじ部材２１と螺合可能、上ねじ部６６は、後述する上ねじ部材２３と螺合可能、に形成されている。
【００３９】
固定金具７０は、スチール製で、図１、２、１０に示すように、長尺な平板状に形成され、厚さ方向において貫通する貫通孔７１を二つ有している。
【００４０】
固定金具７０は、組み付けられた状態において、一対のリブ５３と区画壁５１で囲まれる領域内に配置可能とされている。
【００４１】
トップ部材９０（区別するときには、トップ部材９０Ａ、トップ部材９０Ｂとする）は、合成樹脂製で、図１１〜１５に示すように、固定係止部９１と、可動係止部９５と、を有している。  トップ部材９０Ａとトップ部材９０Ｂとは、線対称となるように形成されている。なお、図１１では、トップ部材９０Ａ側のみ示している。
【００４２】
固定係止部９１は、略Ｌ字状の平板状に形成され、組み立てられた状態における平面視において凸枠状に形成され、かつ、外形形状が凸形柱状に形成され、図８、１４、１５に参照するように、柱部材５０の長手方向における端部に嵌め込み可能に形成されている、固定側嵌合部９２を有している。
【００４３】
固定係止部９１の長手方向における、固定側嵌合部９２とは反対側には、厚さ方向において貫通する貫通孔として形成された長孔９３が配設されている。
【００４４】
トップ部材９０Ｂ側の固定係止部９１は、線対称に構成されるので説明は省略する。
【００４５】
可動係止部９５は、矩形平板状に形成され、組み立てられた状態における平面視において凸枠状に形成され、かつ、外形形状が凸形柱状に形成され、図８、１４、１５に参照するように、柱部材５の長手方向における端部に嵌め込み可能に形成されている、可動側嵌合部９６を有している。
【００４６】
可動係止部９５は、可動側嵌合部９６内に厚さ方向に貫通する貫通孔が形成され、貫通孔内に雌ねじが形成された雌ねじ部９７が配設されている。
【００４７】
固定部１００は、合成樹脂製で形成され、大径部と大径部より小径に形成された小径部とを有する略段付き円柱状に形成された操作部１０１と、金属製の雄ねじが形成された雄ねじ部１０２と、を有している。図１４、１５に示すように、雄ねじ部１０２を長孔９３に挿通させて、操作部１０１の雄ねじ部１０２側の端面が固定係止部９１の上面に当接することで、可動係止部９５の位置決めがなされる。
【００４８】
柱部材５０の間の長さを調整する間隔調整部材１１０は、図１６〜１９に示すように、略直線状に形成された一対のクロスバー１１１ａ、１１１ｂと、回動部１１２と、を有して、回動部１１２において、一対のクロスバー１１１ａ、１１１ｂが互いにＸ字状に回動可能となるように軸支されている。本実施形態では、図２２〜２４に示すように、異なるコーナー接合構造１０どうしの柱部材５０の間に配される。
【００４９】
回動部１１２は、図１７に示すように、合成樹脂製で円盤状に形成された二枚の円盤部１１２ａ、１１２ｂを厚み方向（図１６における手前側から向こう側に向かう方向）において重ね合わせ、中心部に軸支部材１１２ｃを配設して互いに回動可能とされている。円盤部１１２ａ、１１２ｂには、円筒状の取付部１１２ｄがそれぞれ二つ配設され、取付部１１２ｄにアルミニウム製の円筒状のアーム部１１３が嵌め込まれて取り付けられている。
【００５０】
図１６（ａ）の丸内に示すように、アーム部１１３の回動部１１２とは反対側の端部には、合成樹脂製の回動取付部１１３ａが配設されている。
【００５１】
スライダ１１４は、合成樹脂製で、図１８、１９における、上面及び下面が、段差を有し柱部材５０のスライダガイド部５２内の形状に対応した形状とされ、スライダガイド部５２内をスライド可能に形成されている。スライダ１１４には、上面から下面まで貫通する貫通孔が形成され、貫通孔の内側に雌ねじ部１１５が形成されている。
【００５２】
スライダ１１４の図１８、１９における上面には、回動被取付部１１４ａが配設されている。回動被取付部１１４ａは、図１６の手前側から向こう側に向かう方向を回動軸として、図１６（ａ）の丸内に示すように、回動取付部１１３ａに対して回動可能に取り付けられている。
【００５３】
図１６（ａ）の丸内、図１９に示すように、合成樹脂製で外径形状が凹凸を有した略円柱状に形成された操作部１１７と、金属製の雄ねじが形成された雄ねじ部１１８と、を有している固定部材１１６を用いて、雌ねじ部１１５を雄ねじ部１１８と螺合することで、操作部１１７が柱部材５０の開口部分周辺のリップ５６で当接して固定され、異なるコーナー接合構造１０どうしの柱部材５０の間の長さが決まる。
【００５４】
パネル部材１２０は、ポリスチレン製で矩形平板状に形成され、図２２〜２４に示すように、柱部材５０の外周面に取り付けたり、厚さ方向において柱部材５０の外周面どうしで挟まれたりして取り付けられる。
【００５５】
図２２〜２４において、端に位置する柱部材５０を支持する長尺ベース部材１３０（区別するときには、長尺ベース部材１３０Ａ、長尺ベース部材１３０Ｂとする）は、図２０に示すように、長手方向における中央部分が屈曲して、設置面と隙間を有して、Ｌ字金具６０の下取付部６１を配置可能に形成された段差部１３１を有している。段差部１３１には、固定取付部３０と同様の挿通孔１３２と通し孔１３３が形成されている。長尺ベース部材１３０Ａと長尺ベース部材１３０Ｂとは、線対称となるように形成されている。
【００５６】
コーナー接合構造１０の組み付け態様について説明する。図１６（ａ）に示すように、一対の柱部材５０Ａ、５０Ｂに間隔調整部材１１０が架け渡されて連結され、かつ、一対の柱部材５０Ａ、５０Ｂを接近させた状態から、図１６（ｃ）に示すように、固定部材１１６の螺合を緩めて一対の柱部材５０Ａ、５０Ｂの間隔をパネル部材１２０に対応するよう広げた状態とする。なお、図１６においては、一対の柱部材５０Ａ、５０Ｂに長尺ベース部材１３０が取り付けられているが、長尺ベース部材１３０が取り付けられていないものとする。
【００５７】
図２に示すように、ベース部材２０の固定取付部３０の挿通孔３１に、Ｌ字金具６０の上取付部６５を下面側から挿通させ、下取付部６１を有底溝３２内に配置して、下ねじ部６２と通し孔３３を位置合わせして、通し孔３３にワッシャ２２を介して上側から下ねじ部材２１を通して、下取付部６１の下ねじ部６２と螺合してベース部材２０にＬ字金具６０を固定する。なお、下ねじ部材２１は、ベース部材２０の下面から飛び出さない長さに設定されている。
【００５８】
一方、図１（ａ）、（ｂ）に示すように、ベース部材２０の可動取付部４０の可動長孔４１に、Ｌ字金具６０の上取付部６５を下面側から挿通させ、下取付部６１をガイド溝４２内に配置して、下ねじ部６２と通し長孔４３を位置合わせして、通し長孔４３にワッシャ２２を介して上側から下ねじ部材２１を通して、下取付部６１の下ねじ部６２と螺合してベース部材２０に対して移動可能な状態でＬ字金具６０を仮組み付けする。
【００５９】
ベース部材２０にＬ字金具６０を、固定、仮組み付けしたら、図２に示すように、固定取付部３０において固定されベース部材２０から上側に延びるＬ字金具６０の上取付部６５を、柱部材５０のＬ字金具ガイド部５４内に挿入するとともに、一対のリブ５３の間に固定金具７０を配し、上ねじ部６６と孔５７と貫通孔７１を位置合わせして、図２における右側から上ねじ部材２３を通して、上取付部６５の上ねじ部６６と螺合してＬ字金具６０に柱部材５０を固定する。
【００６０】
また、図１（ａ）、（ｂ）に示すように、可動取付部４０において仮組み付けされベース部材２０から上側に延びるＬ字金具６０の上取付部６５を、柱部材５０のＬ字金具ガイド部５４内に挿入するとともに、一対のリブ５３の間に固定金具７０を配し、上ねじ部６６と孔５７と貫通孔７１を位置合わせして、図２における右側から上ねじ部材２３を通して、上取付部６５の上ねじ部６６と螺合してＬ字金具６０に柱部材５０を固定する。その後、上ねじ部材２３を下取付部６１の下ねじ部６２と螺合してベース部材２０にＬ字金具６０を、仮組み付け状態から完全に固定する。
【００６１】
端に位置する柱部材５０を支持する長尺ベース部材１３０は、図２１に示すように、長尺ベース部材１３０の段差部１３１の挿通孔１３２に、Ｌ字金具６０の上取付部６５を下面側から挿通させ、下取付部６１を段差部１３１の下面に配置して、下ねじ部６２と通し孔１３３を位置合わせして、通し孔１３３にワッシャ２２を介して上側から下ねじ部材２１を通して、下取付部６１の下ねじ部６２と螺合して長尺ベース部材１３０にＬ字金具６０を固定する。
【００６２】
そして、図１４、１５に示すように、一方の柱部材５０の上端部にトップ部材９０の固定側嵌合部９２を嵌入し、他方の柱部材５０の上端部にトップ部材９０の可動側嵌合部９６を嵌入し、一方の柱部材５０と他方の柱部材５０の上端部の移動を規制する。
【００６３】
Ｌ字金具６０に柱部材５０を固定することは、ベース部材２０と柱部材５０とを組み付ける場合と同様である。以上で、コーナー接合構造１０の組み付けは完了する。
【００６４】
図１（ａ）、（ｂ）、図１４、１５に示すように、可動取付部４０において、Ｌ字金具６０の取り付け位置を移動させることにより柱部材５０が移動して、図２２〜２４に示すように、一方の柱部材５０の外周面と、他方の柱部材５０の外周面と、で挟まれてパネル部材１２０が取り付けられる挟持取付態様と、挟持取付態様以外の態様で柱部材５０の外周面のみでパネル部材１２０が取り付けられる外周面取付態様と、を取り得ることが可能である。なお、図２２〜２４では、トップ部材９０は省略している。
【００６５】
図２２では、二つのコーナー接合構造１０を用いて、略コの字状に展示用ブースが形成されている。この場合、コーナー接合構造１０は、一方の柱部材５０の外周面と、他方の柱部材５０の外周面と、で挟まれてパネル部材１２０が取り付けられる挟持取付態様と、挟持取付態様以外の態様で柱部材５０の外周面のみでパネル部材１２０が取り付けられる外周面取付態様と、を取り、柱部材５０を基準として内外面側に装飾面が形成されている。
【００６６】
図２３では、四つのコーナー接合構造１０を用いて、外形形状が四角柱状に展示用ブースが形成されている。この場合、コーナー接合構造１０は、挟持取付態様を取らずに、柱部材５０の外周面のみでパネル部材１２０が取り付けられる外周面取付態様を取り、柱部材５０を基準として外面側に装飾面が形成されている。なお、図２３（ｂ）では、間隔調整部材１１０を省略している。
【００６７】
図２４では、二つのコーナー接合構造１０を用いて、平行に配置された壁を直交するように連結した形状に展示用ブースが形成されている。この場合、コーナー接合構造１０は、一方の柱部材５０の外周面と、他方の柱部材５０の外周面と、で挟まれてパネル部材１２０が取り付けられる挟持取付態様と、挟持取付態様以外の態様で柱部材５０の外周面のみでパネル部材１２０が取り付けられる外周面取付態様と、を取り、柱部材５０を基準として内外面側に装飾面が形成されている。
【００６８】
図２２〜２４の使用態様において、柱部材５０は、スライダガイド部５２が配設される面以外の外周面において、パネル部材１２０が取り付けられていることになる。
【００６９】
本実施形態のコーナー接合構造１０では、設置面に設置されるベース部材２０と、ベース部材２０から立設される二つの柱部材５０と、を備え、
ベース部材２０は、一方の柱部材５０が取り付けられる固定取付部３０と、他方の柱部材５０が取り付けられる可動取付部４０と、を有し、
柱部材５０は、四角筒状に形成され、柱部材５０の外周面にパネル部材１２０が取り付け可能とされ、
可動取付部４０は、一方の柱部材５０に対して他方の柱部材５０の取り付け位置を移動可能に形成され、
一方の柱部材５０の外周面と、他方の柱部材５０の外周面と、で挟まれてパネル部材１２０が取り付けられる挟持取付態様と、
挟持取付態様以外の態様で柱部材５０の外周面のみでパネル部材１２０が取り付けられる外周面取付態様と、
を取り得る。
【００７０】
これによれば、挟持取付態様を取り得る構成とすることで、従来から行われている柱部材５０の外周面のみでパネル部材１２０を取り付けて、外面側のみを装飾する外周面取付態様に加えて、例えば、展示ブースの内面側のみを装飾する、内外面側ともに装飾する、といった取付態様を取ることが可能となるので、使用態様に応じてフレキシブルに対応することができる。
【００７１】
また、柱部材５０は、Ｌ字金具６０を介してベース部材２０に取り付けられ、
Ｌ字金具６０は、柱部材５０に取り付けられる上取付部６５と、ベース部材２０に取り付けられる下取付部６１と、を有し、
ベース部材２０の可動取付部４０は、上面から下面まで貫通して上取付部６５が挿通されるとともに上取付部６５を移動可能とする可動長孔４１と、可動長孔４１と連設するとともに、下面から上面に向かう有底溝として形成され下取付部６１が摺動可能なガイド溝４２と、を有している。
【００７２】
これによれば、ベース部材２０の可動取付部４０により、Ｌ字金具６０の位置を移動させることで、柱部材５０の位置を移動させることが可能となるので、挟持取付態様を容易に取ることができる。
【００７３】
また、一方の柱部材５０と他方の柱部材５０の上端部間に架け渡されるトップ部材９０を備え、
トップ部材９０は、固定係止部９１と、固定係止部９１に対して移動可能な可動係止部９５と、を有している。
【００７４】
これによれば、トップ部材９０により、一方の柱部材５０と他方の柱部材５０の上端部の移動を規制することで接合状態を安定させることができる。さらに、可動係止部９５により、他方の柱部材５０のベース部材２０における取り付け位置の移動に対応することが可能となるので、組立作業を容易にすることができる。
【００７５】
また、柱部材５０は、異なるコーナー接合構造１０どうしの柱部材５０の間の長さを調整する間隔調整部材１１０のスライダ１１４が摺動可能なスライダガイド部５２を有し、スライダガイド部５２が配設される面以外の外周面において、パネル部材１２０が取り付けられる。
【００７６】
これによれば、間隔調整部材１１０を用いてコーナー接合構造１０を構成する本実施形態において好適なものとすることができている。
【００７７】
本発明のコーナー接合構造は上記構成に限定されるものではない。即ち、本発明の要旨を逸脱しない限り各種の設計変更等が可能である。
【００７８】
例えば、図２２、２４の使用態様において、パネル部材１２０の柱部材５０への取り付け態様を変更することによって、展示ブースの内面側のみ、外面側のみ、に装飾面を形成することも可能である。
【００７９】
また、ベース部材２０、柱部材５０、Ｌ字金具６０の取り付け態様は、図２２〜２４に示されるものに限定されない。適宜取り付け態様を変更してパネル部材１２０を取り付けることができる。
【符号の説明】
【００８０】
１０  コーナー接合構造
２０  ベース部材
３０  固定取付部
４０  可動取付部
４１  可動長孔
４２  ガイド溝
５０  柱部材
５２  スライダガイド部
６０  Ｌ字金具
６１  下取付部
６５  上取付部
９０  トップ部材
９１  固定係止部
９５  可動係止部
１１０  間隔調整部材
１１４  スライダ
１２０  パネル部材
【図１】
2020090779.tif 000003
【図２】
2020090779.tif 000004
【図３】
2020090779.tif 000005
【図４】
2020090779.tif 000006
【図５】
2020090779.tif 000007
【図６】
2020090779.tif 000008
【図７】
2020090779.tif 000009
【図８】
2020090779.tif 000010
【図９】
2020090779.tif 000011
【図１０】
2020090779.tif 000012
【図１１】
2020090779.tif 000013
【図１２】
2020090779.tif 000014
【図１３】
2020090779.tif 000015
【図１４】
2020090779.tif 000016
【図１５】
2020090779.tif 000017
【図１６】
2020090779.tif 000018
【図１７】
2020090779.tif 000019
【図１８】
2020090779.tif 000020
【図１９】
2020090779.tif 000021
【図２０】
2020090779.tif 000022
【図２１】
2020090779.tif 000023
【図２２】
2020090779.tif 000024
【図２３】
2020090779.tif 000025
【図２４】
2020090779.tif 000026